(57)【特許請求の範囲】
【請求項１】
撮影された画像の記録と表示を同時に実行可能な撮像装置であって、
撮像素子から得られた画像を現像する２つの画像処理エンジンと、
テーブルデータの変更が可能な少なくとも２つのルックアップテーブルと、
第１の撮影モードでは、前記２つの画像処理エンジンが生成した画像の一方を記録、他方を表示に使用するように表示経路と記録経路を設定し、前記２つのルックアップテーブルを一方が記録経路に、他方が表示経路に含まれるように接続し、第２の撮影モードでは、前記２つの画像処理エンジンのいずれか１つが生成した画像を記録と表示に使用するように表示経路と記録経路を設定し、前記２つのルックアップテーブルを一方が記録経路と表示経路に、他方が表示経路のみに含まれるように接続する接続手段と、を備えることを特徴とする撮像装置。
【請求項２】
前記２つのルックアップテーブルが設定された経路に応じて、該２つのルックアップテーブルのテーブルデータを設定する設定手段をさらに備えることを特徴とする請求項１に記載の撮像装置。
【請求項３】
前記設定手段は、前記第１または第２の撮影モードにおいて、ユーザからの指示に応じてビューアシスト機能のオン、オフを切り替えるために、前記２つのルックアップテーブルのうち表示経路のみに含まれているルックアップテーブルのデータを変更することを特徴とする請求項２に記載の撮像装置。
【請求項４】
前記設定手段は、特定のＬｏｇガンマ変換がなされた画像のオフセットを記録経路に含まれるルックアップテーブルにおいて調整し、表示経路のみに含まれるルックアップテーブルにおいて前記オフセットを相殺するように、前記２つのルックアップテーブルのテーブルデータを設定することを特徴とする請求項２または３に記載の撮像装置。
【請求項５】
前記第１の撮影モードは４ｋ２ｋの解像度で画像を記録するモードであり、前記第２の撮影モードは４ｋ２ｋ以外の解像度で画像を記録するモードであることを特徴とする請求項１乃至４のいずれか１項に記載の撮像装置。
【請求項６】
前記第１の撮影モードのルックアップテーブルは、Ｌｏｇガンマ変換処理のための設定がされることを特徴とする請求項１乃至５のいずれか１項に記載の撮像装置。
【請求項７】
前記ビューアシスト機能を実現するルックアップテーブルは、中間輝度部のコントラストを上げる特性を有することを特徴とする請求項３に記載の撮像装置。
【請求項８】
撮像素子から得られた画像データを現像する２つの画像処理エンジンと、
テーブル内のデータの変更が可能な少なくとも２つのルックアップテーブルと、を備え、撮影された画像の記録と表示を同時に実行可能な撮像装置の制御方法であって、
第１の撮影モードでは、前記２つの画像処理エンジンが生成した画像の一方を記録、他方を表示に使用するように表示経路と記録経路を設定し、前記２つのルックアップテーブルを一方が記録経路に、他方が表示経路に含まれるように接続し、
第２の撮影モードでは、前記２つの画像処理エンジンのいずれか１つが生成した画像を記録と表示に使用するように表示経路と記録経路を設定し、前記２つのルックアップテーブルを一方が記録経路と表示経路に、他方が表示経路のみに含まれるように接続する、ことを特徴とする撮像装置の制御方法。
【発明の詳細な説明】
【技術分野】
【０００１】
本発明は、撮像装置及びその制御方法に関する。
【背景技術】
【０００２】
デジタル技術の発達により、銀塩フィルムカメラの代わりにデジタル式のビデオカメラを用いて映画撮影を行なうデジタルシネマが普及してきている。デジタルシネマ用のビデオカメラにおいては、デジタルとフィルムとの親和性を高めるために、Ｌｏｇ（ログ）ガンマと呼ばれる入力値の線形的な増加に対して出力値が対数的に増加する非線形な変換特性（Cineon Log）を用いて画像を生成している。このようなＬｏｇガンマを用いた色変換に関する処理により、白とびや黒つぶれは抑制されて高い階調性が維持出来るため、ネガフィルムが有する広いダイナミックレンジや対数化された露光量が記録される記録特性がデジタル画像においても維持される。
【０００３】
一方、静止画撮影を目的としたデジタルカメラにおいても、動画撮影機能を搭載したものが広く知られている。また、静止画撮影用のデジタルカメラに搭載された動画撮影機能に、上述したようなＬｏｇガンマの機能を持たせることが検討されている。このような構成によれば、高画質な静止画撮影が可能なデジタルカメラをデジタルシネマの撮影が可能なデジタルシネマカメラとして利用することが可能になる。
【０００４】
特許文献１には、動画撮影時に、画像データの記録媒体への記録と表示とを同時に行うとともに、表示における画像の視認性を確保するために画像特性を変更する構成が記載されている。特許文献１では、撮影モードに応じて異なる映像信号特性の画像を画像表示装置に適した特性に変換するために、コントラスト、ブライトネス、ガンマなどを調整するための制御データを、撮影モードに応じて切り替える構成が記載されている。このような特許文献１の技術を用いれば、１つのルックアップテーブルに複数の機能を実現させることができる。
【先行技術文献】
【特許文献】
【０００５】
【特許文献１】特許第４５００７１１号公報
【発明の概要】
【発明が解決しようとする課題】
【０００６】
デジタルカメラをデジタルシネマへ対応させることを考慮すると、上述したＬｏｇを用いた画像特性を持つ画像の記録に加えて、４０９６画素×２１６０画素という画素数（以下、４ｋ２ｋという）での画像記録が要求される。４ｋ２ｋという高解像度での動画記録とそのモニタ表示を同時に行うことをデジタルカメラで実現するために、動画記録のための画像処理エンジンと表示に用いる画像を生成するための画像処理エンジンとを別々に設けて処理する構成も考えられる。また、４ｋ２ｋ以外の画像記録では、一方の画像処理エンジンのみを用いて記録用の動画と表示用の動画を生成するように処理経路を切り替えることも考えられる。このように、撮影モードに応じて使用する画像処理エンジンの数や画像信号の処理経路が切り替わると、ルックアップテーブルを各処理経路の適した場所に配置する必要が生じる。その結果、用意しておくべきルックアップテーブルが増加し、システムリソースが逼迫する。特許文献１では、制御データの変更により複数の撮影モード（映像信号特性）に対応するが、上述したような複数の処理経路の切り替えへの対応については考慮されていない。
【０００７】
本発明は上記の課題に鑑みてなされたものであり、処理経路が異なる多様な撮影モードを有する撮像装置において、確保しておくルックアップテーブルの数を減らし、システムリソースを有効に利用できるようにすることを目的とする。
【課題を解決するための手段】
【０００８】
上記の目的を達成するための本発明の一態様による撮像装置は以下の構成を備える。すなわち、
撮影された画像の記録と表示を同時に実行可能な撮像装置であって、
撮像素子から得られた画像を現像する２つの画像処理エンジンと、
テーブル内のデータの変更が可能な少なくとも２つのルックアップテーブルと、
第１のモードでは、前記２つの画像処理エンジンが生成した画像の一方を記録、他方を表示に使用するように表示経路と記録経路を設定し、前記２つのルックアップテーブルを一方が記録経路に、他方が表示経路に含まれるように接続し、第２のモードでは、前記２つの画像処理エンジンのいずれか１つが生成した画像を記録と表示に使用するように表示経路と記録経路を設定し、前記２つのルックアップテーブルを一方が記録経路と表示経路に、他方が表示経路のみに含まれるように接続する接続手段と、を備える。
【発明の効果】
【０００９】
本発明によれば、処理経路が異なる多様な撮影モードを有する撮像装置において、確保しておくルックアップテーブルの数を減らし、システムリソースを有効に利用できるようになる。
【図面の簡単な説明】
【００１０】
【図１】実施形態によるデジタルカメラの構成例を示すブロック図。
【図２】撮像部、エンジン、記録部、表示部の詳細を示すブロック図。
【図３】４ｋ２ｋ画像撮影時の動作を説明する図。
【図４】４ｋ２ｋ以外の画像撮影時の動作を説明する図。
【図５】コントローラによる経路設定、ＬＵＴの制御を説明するフローチャート。
【図６】実施形態における関数で定義されたＬｏｇガンマの入出力特性を示す図。
【図７】ビューアシストを実現するＬＵＴの特性を示す図。
【発明を実施するための形態】
【００１１】
以下、添付の図面を参照して本発明の好適な実施形態について説明する。
【００１２】
図１は、実施形態による撮像装置としてのデジタルカメラ１００における、撮像、現像、出力に関わる構成例を示すブロック図である。本実施形態のデジタルカメラ１００では、撮影された画像の記録と表示とを同時に実行可能となっている。コントローラ１３０は不図示のＣＰＵ、ＲＯＭやＲＡＭ等のメモリを有し、例えばＣＰＵがＲＯＭに格納されたプログラムを実行することにより以下に説明する各部を制御したり、各部の機能の一部もしくは全てを実現したりする。したがって、以下に説明する構成は、ハードウェアにより、ソフトウェアにより、あるいはハードウェアとソフトウェアの協働により実現される。
【００１３】
撮像部１０１は、撮影光学系および撮像素子を含み、撮像素子の撮像面に結像された光学像を電気信号に変換し、取得された電気信号をデジタル信号に変換して出力する。撮像部１０１のより詳細な構成を図２（ａ）に示す。図２（ａ）において、撮影画面範囲内の被写体像は撮影光学系２０１を介して撮像素子としてのＣＭＯＳ２０２の撮像面上に結像する。なお、撮像素子はＣＭＯＳに限られるものではなく、ＣＣＤ等の他の素子であってもよいことは言うまでもない。ＣＤＳ／ＡＧＣ回路２０３は、ＣＭＯＳ２０２から得られた電気信号に相関二重サンプリング／ゲイン調整を行なう。ＡＤ変換器２０４は、ＣＤＳ／ＡＧＣ回路２０３から出力される信号をデジタル変換し、画像信号として出力する。また、撮影光学系２０１は、絞りおよびフォーカスのための駆動機構２０６を有し、ＡＥ／ＡＦ部２０５はコントローラ１３０からの指示により駆動機構２０６の駆動を制御する。このようなＡＥ／ＡＦ部２０５、駆動機構２０６により、自動焦点機能や自動露出機能が実現される。
【００１４】
図１に戻り、ＷＢ回路１０２は、撮像部１０１（ＡＤ変換器２０４）から出力された画像信号に対してホワイトバランス調整を行なう。ＷＢ回路１０２においてホワイトバランスが調整された画像信号は第１経路設定部１０３に供給される。第１経路設定部１０３では、コントローラ１３０の制御の下、ユーザの指示により選択された動作モード（本実施形態では、４ｋ２ｋモードか、それ以外かなど）に応じて、入力された画像信号の経路を切り替える。第１経路設定部１０３の詳しい動作については後述する。
【００１５】
本実施形態のデジタルカメラ１００では、現像処理のためのエンジン１０４が、２つの異なるタイプの画像処理エンジンを有する。第１の画像処理エンジンとしての画像処理エンジンＡ１２１は４ｋ２ｋの動画を生成するための現像処理を行なう。他方、第２の画像処理エンジンとしての画像処理エンジンＢ１２２は、静止画撮影のための高画質な画像を生成するために最適化された画像処理エンジンであり、４ｋ２ｋ以外の動画のための現像にも用いられる。なお、画像処理エンジンＡ１２１は、画像処理エンジンＢ１２２よりも高速な現像を実現するように、処理速度を優先したエンジンである。
【００１６】
図２（ｂ）は、画像処理エンジンＡ１２１、画像処理エンジンＢ１２２の詳細な機能構成を示す図である。ノイズ除去部２１１は、ホワイトバランス調整がされた画像信号に対してノイズ除去を行なう。なお、画像処理エンジンＢ１２２は静止画の現像に最適化されており、画像処理エンジンＢ１２２のノイズ除去部２１１は、静止画に適応したノイズ除去を提供する。より具体的には、たとえば、ノイズ除去部２１１は、入力された画像から複数種類の縮小画像を生成し、各縮小画像についてフィルタリングやノイズ除去を実行する。なお、このような画像処理エンジンＢ１２２のノイズ除去部２１１では、複数の縮小画像を生成してノイズ除去を行なうため、メモリへの画像の保持や読出しが多発し、処理負荷が大きい。これに対して、４ｋ２ｋ動画のための現像を行なう画像処理エンジンＡ１２１のノイズ除去部２１１は、たとえば、１階層のみのノイズ除去を行なう。このようにして、画像処理エンジンＡ１２１では、画像処理エンジンＢ１２２よりも処理負荷が軽減され、処理速度が向上する。
【００１７】
ノイズ除去部２１１から出力された画像信号は、色処理部と輝度処理部に分配される。色処理部では、まず、第１マトリクス２１２が、ノイズ除去部２１１から出力された画像信号（ＲＧＢ）を、ＹＵＶ信号に変換する。この際、第１マトリクス２１２は、撮像素子（ＣＭＯＳ２０２）の固有の分光特性に起因したばらつきを吸収するとともに、所望する絵作りに応じた画像となるようにマトリクス変換を行なう。色抑圧部２１３は、飽和時のホワイトバランスを維持するために高輝度部分の色値のゲインを調整（抑圧）する。
【００１８】
第２マトリクス２１４は、色抑圧部２１３により処理されたＵＶ信号を含むＹＵＶ信号を、γ処理のためにＲＧＢ信号に変換する。Ｃγ処理部２１５は、第２マトリクス２１４により得られた画像信号（ＲＧＢ信号）に対してγ処理を施す。そして、第３マトリクス２１６は、Ｃγ処理部２１５の出力（ＲＧＢ信号）を再びＹＵＶ信号に変換する。ニー補正部２１７は、第３マトリクス２１６から出力されたＹＵＶ信号のうちのＵＶ信号を入力し、高彩度における色空間の圧縮を行なって、画像信号を目標とする色空間に収める補正を行なう。
【００１９】
他方、ノイズ除去部２１１から出力された画像信号（ＲＧＢ）のうちのＧ成分は輝度処理部に入力される。輝度処理部では、まず、適応処理部２２１が帯域を維持するためにＧ信号に適応化処理を施してＹ信号を生成する。Ｙγ処理部２２２は、適応処理部２２１により生成されたＹ信号にγ処理を施す。また、適応処理部２２１の出力はシャープネス部２２３にも供給され、シャープネス部２２３は、入力されたＹ信号からシャープネス量を検出し、これをＹγ処理部２２２の出力に足し込む。
【００２０】
以上のようにして、ニー補正部２１７の出力信号（Ｕ，Ｖ）と輝度処理部から得られる信号（Ｙ）が、画像処理エンジンＡ１２１または画像処理エンジンＢ１２２から、画像信号（ＹＵＶ）として出力される。
【００２１】
図１に戻り、画像処理エンジンＡ１２１と画像処理エンジンＢ１２２から出力されたＹＵＶ信号は、それぞれ第２経路設定部１０５に供給される。第２経路設定部１０５は、コントローラ１３０の制御の下、各画像処理エンジンから供給されたＹＵＶ信号の経路を制御し、ＹＵＶ信号を第1のルックアップテーブルである第１ＬＵＴ１０６、第２のルックアップテーブルである第２ＬＵＴ１０７などに供給する。なお、第２経路設定部１０５の動作の詳細については後述する。
【００２２】
第１ＬＵＴ１０６および第２ＬＵＴ１０７は、第２経路設定部１０５および第３経路設定部１１０と接続され、それぞれ変換すべきデータの入力元や変換後のデータの出力先を柔軟に設定できる。また、第１ＬＵＴ１０６、第２ＬＵＴ１０７のそれぞれのテーブル内のテーブルデータは、コントローラ１３０により、その接続元や接続先の切り替えに応じて変更が可能となっている。各ルックアップテーブルは、テーブル内に設定されたテーブルデータによりその変換特性が決定される。第３経路設定部１１０は、コントローラ１３０の制御下で、記録部１１１、表示部１１２、第１ＬＵＴ１０６、第２ＬＵＴ１０７の間の経路の設定を行なう。経路設定の詳細については後述する。また、表示部１１２における接続の一部は、第２経路設定部１０５と第３経路設定部１１０により制御され、変更されるようになっている。経路１０８は、第２経路設定部１０５と第３経路設定部１１０との間を画像信号がスルーするための経路である。
【００２３】
記録部１１１と表示部１１２の詳細構成について、図２（ｃ）を参照して説明する。記録部１１１において、巡回ＮＲ部２３１は、入力されたＹＵＶ信号のフレーム間の相関性を利用してノイズ除去を行なう。なお、巡回ＮＲ部２３１は、動画記録時にのみ動作するようにコントローラ１３０により制御される。すなわち、静止画記録時には、巡回ＮＲ部２３１はスルー動作となる。
【００２４】
リサイズ部２３２は、記録される画像データの形式に応じてリサイズを行なう。リサイズが不要であれば、コントローラ１３０の制御下、リサイズ部２３２は画像信号をスルーする。マトリクス部２３３は、リサイズ部２３２から出力された画像信号について最終的な画像調整を行なう。圧縮部２３４はマトリクス部２３３から出力された画像信号（画像データ）に圧縮処理を施して、記録ファイル２３５を出力する。記録ファイル２３５は、メモリカード（不図示）等の記録媒体に記録される。
【００２５】
表示部１１２では、ＨＤＭＩ出力２４３およびＬＣＤ出力２４６を生成する。第３経路設定部１１０により設定された経路を介して提供された画像信号はそれぞれリサイズ部２４１，２４４に供給される。リサイズ部２４１は、供給された画像信号をＨＤＭＩの解像度（例えば１９２０×１０８０画素）にリサイズする。マトリクス部２４２は、リサイズ部２４１でリサイズされた画像信号に対して最終的な画像調整を行ない、ＨＤＭＩ出力２４３を得る。同様に、リサイズ部２４４は、供給された画像信号をＬＣＤ（本例では、デジタルカメラ１００の背面に設けられた液晶表示器とする）の解像度（例えば、７２０×３８０画素）にリサイズする。マトリクス部２４５は、リサイズ部２４４でリサイズされた画像信号に対して最終的な画像調整を行ない、ＬＣＤ出力２４６を得る。なお、リサイズ部２４４の出力側は第２経路設定部１０５と接続され、第３経路設定部１１０との協働により、必要に応じてビューアシスト機能を提供するためのルックアップテーブルがリサイズ部２４４とマトリクス部２４５との間に接続される。ビューアシスト機能については後述する。
【００２６】
また、巡回ＮＲ部２３１の出力はスイッチ２５１を介してリサイズ部２４１、２４４に接続されている。スイッチ２５１は第３経路設定部１１０による経路設定の一部を担っており、たとえば図３や図４により後述する経路設定で説明されるように開閉が制御される。
【００２７】
次に、図３、図４を参照して、第１経路設定部１０３、第２経路設定部１０５、第３経路設定部１１０による経路設定動作について説明する。なお、以下では、第１の撮影モードとして４ｋ２ｋによる動画撮影が選択された場合の経路設定を図３を用いて、第２の撮影モードとして４ｋ２ｋ以外の動画撮影が選択された場合の経路設定を図４を用いて説明する。また、その際に、デジタルシネマ対応のためのＬｏｇガンマ変換の実行が指定された場合は、画像処理エンジンＡ１２１、画像処理エンジンＢ１２２において、入力値の線形的な増加に対して出力値が対数的に増加する非線形な入出力特性によるＬｏｇガンマ変換処理が施される。
【００２８】
Ｌｏｇガンマの入出力特性は、カメラ側で数値テーブルや関数で定義されている。Ｌｏｇガンマによる階調変換処理は、編集器側での後処理（ポストプロダクション処理という）を前提とした高い階調性を維持し、ダイナミックレンジの広い画像を提供することが目的となっている。そのため、図６に示すように暗部は少しオフセットされた状態で黒つぶれを防ぎ、中間輝度部は階調を最低限のビット数で維持し、明部は飽和まで白飛びを防いで階調を保つような特性を有している。その特性は、
出力値＝Ａ×ｌｏｇ１０（Ｂ×入力値＋Ｃ）＋Ｄ    （式１）
（０＜Ａ＜１，Ｂ，Ｃは定数）といった対数式で表される。
【００２９】
例えば、８ビットデータの場合、Ａ＝０．５２９１３６，Ｂ＝１０．１５９６，Ｃ＝１．０，Ｄ＝０．０７３０５９７とすると、暗部は少しオフセットされた状態で黒つぶれを防ぎ、中間輝度部は階調を最低限のビット数で維持し、明部は飽和まで白飛びを防いで高い階調を保つことが可能になる。
【００３０】
これにより、Ｌｏｇガンマを適用した動画像は、通常よりもコントラストが抑えられた動画像となる。このようにＬｏｇガンマを適用した動画像は、コントラストが抑えられているため、直接ＬＣＤ等の表示装置で鑑賞するのには適さない。そこで、Ｌｏｇガンマによる動画記録中に、ＬＣＤ等の表示装置にコントラストのついたメリハリのある動画を表示させるべく画像特性を変更する機能、いわゆるビューアシスト機能が用いられている。このようにビューアシスト機能を実現するＬＵＴは、図７に示されるようにＬｏｇガンマで抑えていた中間輝度部のコントラストを上げる特性を有するＬＵＴになっている。これにより、標準的な映像色空間（例えばＢＴ．７０９）に従った明るさが再現される。つまり、ユーザは撮影時にviewingLUTで変換される前の状態で階調を確認し、viewingLUTで変換された状態で最終的な画像をイメージしながら撮影を行うことが可能になる。
【００３１】
図３は、「４ｋ２ｋによる動画撮影」が指示された場合の、第１経路設定部１０３、第２経路設定部１０５、第３経路設定部１１０による画像信号の経路設定動作および現像処理に用いる画像処理エンジンの選択を説明する図である。なお、第１経路設定部１０３、第２経路設定部１０５、第３経路設定部１１０の動作等は、コントローラ１３０が制御する。図３に示すように、撮像部１０１から出力され、ＷＢ回路１０２を経た画像信号は、第１経路設定部１０３へ供給される。４ｋ２ｋによる動画撮影が指定されている場合、画像処理エンジンＡ１２１を用いて４ｋ２ｋの動画の現像を行ない、画像処理エンジンＢ１２２を用いて表示画像の現像を行なうように、経路が設定される。したがって、まず、第１経路設定部１０３は、画像処理エンジンＡ１２１と画像処理エンジンＢ１２２のそれぞれへ画像信号を供給するように経路を選択する。画像処理エンジンＡ１２１は、２４ｆｐｓで４ｋ２ｋの動画フレームを生成し、第２経路設定部１０５はこれら動画フレームを順次に第１ＬＵＴ１０６に供給する。第１ＬＵＴ１０６により調整された動画フレームは、第３経路設定部１１０を介して順次に記録部１１１に供給され、記録部１１１は２４ｆｐｓで４ｋ２ｋの動画像をメモリカード等の記録媒体に記録する。以上のように、４ｋ２ｋで画像記録を行う撮影モードにおいては、例えば、画像処理エンジンＡ１２１、第１ＬＵＴ１０６、記録部１１１により、画像を記録するための記録経路が形成される。
【００３２】
他方、４ｋ２ｋの画像記録と同時に表示のための画像信号を出力するために、第１経路設定部１０３はＷＢ回路１０２から供給された画像信号を画像処理エンジンＢへ送る。画像処理エンジンＢ１２２は、たとえば、２４ｆｐｓでフルハイビジョンの解像度（１９２０×１０８０画素）を有する画像信号を出力する。第２経路設定部１０５は画像処理エンジンＢ１２２からの画像信号を第２ＬＵＴへ供給する。第２ＬＵＴ１０７は、供給された画像を表示に適するように調整し、調整された動画フレームは、第３経路設定部１１０を介して順次に表示部１１２に供給される。表示部１１２は、供給された動画フレームを処理して、ＨＤＭＩ出力２４３やＬＣＤ出力２４６を生成し、出力（表示）する。以上のように、４ｋ２ｋで画像記録を行う撮影モードでは、例えば、画像処理エンジンＢ１２２、第２ＬＵＴ１０７、表示部１１２により画像を表示するための表示経路が形成される。
【００３３】
ここで、画像処理エンジンＢ１２２から出力されるフレームの大きさは１９２０×１０８０画素となっているため、表示部１１２のリサイズ部２４１はスルー動作となる。エンジン１０４の画像処理エンジンＡ１２１からの画像信号は、マトリクス部２４２により調整された後、ＨＤＭＩ出力２４３となる。また、リサイズ部２４４は、エンジン１０４の画像処理エンジンＡ１２１からの画像信号をたとえば解像度が７２０×３８０画素の画像へ変換する。マトリクス部２４５は、この７２０×３８０画素の画像に調整を加えて、ＬＣＤ出力２４６を得る。ＬＣＤ出力２４６は例えばデジタルカメラの背面の液晶表示器に表示される。
【００３４】
なお、上記動作において、コントローラ１３０は、画像処理エンジンＡ１２１に対してはその最大性能を発揮するようなパラメータを設定する。また、画像処理エンジンＢ１２２に対しては、画像処理エンジンＡ１２１の出力と同等の画質となるようにパラメータを設定する。このようなパラメータ設定と、第２ＬＵＴ１０７とにより、記録画像とＨＤＭＩやＬＣＤで出力される画像の見えを一致させたり、ビューアシストにより見やすい画像を表示させたりすることができる。また、図３の接続状態によれば、記録経路に接続された第２ＬＵＴ１０７のテーブルデータを書き換えることでビューアシストのオン、オフを切り替えることができ、処理手順（経路）の変更等が不要となる。
【００３５】
図４は、デジタルカメラ１００に４ｋ２ｋ以外の動画撮影もしくは静止画撮影が設定された場合の、第１経路設定部１０３、第２経路設定部１０５、第３経路設定部１１０による経路設定動作および現像処理に用いる画像処理エンジンの選択を説明する図である。図４に示すように、撮像部１０１から出力され、ＷＢ回路１０２を経た画像信号は、第１経路設定部１０３へ供給される。４ｋ２ｋ以外の動画撮影や静止画モードが指定されている場合、第１経路設定部１０３は、画像信号を画像処理エンジンＢ１２２のみに供給するよう経路を設定する。画像処理エンジンＢ１２２は２４ｆｐｓでフレームを生成し、第２経路設定部１０５はこれらフレームを順次に第１ＬＵＴ１０６に供給して、画像を調整する。第１ＬＵＴ１０６の出力は、第３経路設定部１１０を経て記録部１１１に供給され、２４ｆｐｓの画像信号が不図示の記録媒体（メモリカード等）に記録される。以上のように、４ｋ２ｋ以外で画像記録を行う撮影モードにおいては、例えば、画像処理エンジンＢ１２２、第１ＬＵＴ１０６、記録部１１１により、画像を記録するための記録経路が形成される。
【００３６】
４ｋ２ｋ以外の画像記録と同時になされる表示のための画像信号は、記録部１１１の巡回ＮＲ部２３１の出力を用いて生成される。図４に示されるように、第３経路設定部１１０は、スイッチ２５１を閉状態として巡回ＮＲ部２３１の出力を表示部１１２内のリサイズ部２４１，２４４に供給するように経路を設定する。更に、第３経路設定部１１０は、リサイズ部２４４とマトリクス部２４５の間に、ビューアシストを実現するためのルックアップテーブルとして、第２ＬＵＴ１０７を挿入する。以上のように、４ｋ２ｋ以外で画像記録を行う撮影モードにおいては、例えば、画像処理エンジンＢ１２２、第１ＬＵＴ１０６、表示部１１２、表示部１１２内に接続された第２ＬＵＴ１０７により、画像を記録するための記録経路が形成される。ルックアップテーブルの接続に関して図３の状態と大きく異なるのは、記録経路において第１ＬＵＴ１０６と第２ＬＵＴ１０７が直列に接続されていることである。そして、表示部１１２内に接続された第２ＬＵＴ１０７は、主としてビューアシストを実現するのに用いられる。図３の接続状態と同様に、記録経路に接続された第２ＬＵＴ１０７のテーブルデータを書き換えることでビューアシストのオン、オフを切り替えることができ、処理手順（経路）の変更等が不要となる。
【００３７】
次に、第１ＬＵＴ１０６や第２ＬＵＴ１０７へのテーブルデータの設定について説明する。図５は、コントローラ１３０による制御を説明するフローチャートである。以下に説明するように、コントローラ１３０は、２つのルックアップテーブル（第１ＬＵＴ１０６、第２ＬＵＴ１０７）のそれぞれに、設定された経路に応じたテーブルデータを設定する。まず、コントローラ１３０は、ユーザにより指定された撮影モードが、４ｋ２ｋかそれ以外かを判定する。指定された撮影モードが４ｋ２ｋであった場合、処理はステップＳ５１１へ進む。
【００３８】
ステップＳ５１１において、コントローラ１３０は、第１経路設定部１０３、第２経路設定部１０５、第３経路設定部１１０を制御して、図３で説明した経路を構成する。そして、ステップＳ５１２において、コントローラ１３０は、特定のＬｏｇガンマ変換処理がオンされているか否かを判定する。特定のＬｏｇガンマ変換処理がオフであれば、処理はステップＳ５１３に進む。ステップＳ５１３において、コントローラ１３０は、第１ＬＵＴ１０６および第２ＬＵＴ１０７に、撮影シーンに応じた色相や彩度の変換を行う自動色補正用および撮影シーンに応じた輝度の自動階調補正用パラメータを設定する。自動色補正用パラメータでは、例えば、夕景シーンでは夕日の赤味を強めに、風景シーンでは青や緑を鮮やかにする。自動階調補正用パラメータは、例えば、逆光シーンなどの顔の輝度を適正に補正する。
【００３９】
ステップＳ５１２で特定のＬｏｇガンマ変換がオンであった場合、コントローラ１３０は、ステップＳ５１４において、第１ＬＵＴ１０６にＬｏｇガンマ変換によるオフセットを調整するためのパラメータをセットする。続いて、コントローラ１３０は、ステップＳ５１５において、ビューアシストがオンされているか否かを判定する。ビューアシストがオフであった場合、処理はステップＳ５１６へ進み、コントローラ１３０は、第２ＬＵＴ１０７にＬｏｇガンマ変換によるオフセットを調整するためのパラメータをセットする。以上、ステップＳ５１４、Ｓ５１６では、第１ＬＵＴ１０６および第２ＬＵＴ１０７に同じ、または対応するパラメータが設定される。そのため、ビューアシスト機能がオフの場合には記録部１１１により記録される画像と表示部１１２により表示される画像の見えを揃えることができる。
【００４０】
ステップＳ５１５において、ビューアシストがオンであると判定されると、処理はステップＳ５１７へ進む。ステップＳ５１７において、コントローラ１３０は、第２ＬＵＴ１０７にビューアシスト用のパラメータをセットする。このような設定により、記録部１１１により記録される画像はＬｏｇガンマ変換された色空間で表される画像となり（ビューアシストの影響を受けない）、表示部１１２により表示される画像はビューアシスト機能により、コントラストのついた見やすい画像となる。
【００４１】
ステップＳ５０１において、指定された撮影モードが４ｋ２ｋ以外であると判定された場合、処理はステップＳ５２１へ進む。ステップＳ５２１において、コントローラ１３０は、第１経路設定部１０３、第２経路設定部１０５、第３経路設定部１１０を制御して、図４で説明した経路を構成する。そして、ステップＳ５２２において、コントローラ１３０は、特定のＬｏｇガンマ変換処理（例えば、Canon Log）がオンされているか否かを判定する。特定のＬｏｇガンマ変換がオフであれば、コントローラ１３０は、ステップＳ５２３において、自動色補正用および自動階調補正用パラメータを第１ＬＵＴ１０６に設定し、ステップＳ５２７で第２ＬＵＴ１０７をスルーに設定する。これにより、上記特定のＬｏｇガンマ変換処理がオフの場合の、記録部１１１により記録される画像と表示部１１２により表示される画像の見えを揃えることができる。
【００４２】
また、ステップＳ５２２で特定のＬｏｇガンマ変換がオンであった場合、コントローラ１３０は、ステップＳ５２４において第１ＬＵＴ１０６にＬｏｇガンマ変換によるオフセットを調整するためのパラメータを設定する。そして、ステップＳ５２５において、コントローラ１３０は、ビューアシストがオンされているか否かを判定する。ビューアシストがオフであった場合、処理はステップＳ５２７へ進み、コントローラ１３０は、第２ＬＵＴ１０７をスルーに設定する。以上、ステップＳ５２４、Ｓ５２７によるルックアップテーブルの設定では、記録画像と表示画像が第１ＬＵＴ１０６により調整された画像となるので、記録部１１１により記録される画像と表示部１１２により表示される画像の見えを揃えることができる。
【００４３】
ステップＳ５２５において、ビューアシストがオンであると判定されると、処理はステップＳ５２６へ進む。ステップＳ５２６において、コントローラ１３０は、第２ＬＵＴ１０７に、Ｌｏｇガンマ変換によるオフセットを相殺するとともに、ビューアシストを行なうためのパラメータをセットする。以上のステップＳ５２４、Ｓ５２６の設定により、記録部１１１により記録される画像はＬｏｇガンマ変換された色空間で表される画像となる（ビューアシストの影響を受けない）。また、表示部１１２により表示される画像は、Ｌｏｇガンマ変換によるオフセットが除去されるとともに、ビューアシスト機能により、コントラストのついた見やすい画像となる。
【００４４】
以上のように、実施形態によるデジタルカメラ１００では、使用する画像処理エンジンの数やビューアシストのオン・オフといった種々の記録動作、表示動作の組み合わせをより少ないルックアップテーブルにより実現することが可能である。
【００４５】
なお、図４において、第１ＬＵＴ１０６を記録経路に接続し、第２ＬＵＴ１０７を表示経路に接続しているが、第２ＬＵＴ１０７を記録経路に接続し、第１ＬＵＴ１０６を表示経路に接続してもよい。即ち、４ｋ２ｋの動画記録では２つのルックアップテーブルの一方が記録経路に他方が表示経路に接続され、４ｋ２ｋ以外の動画記録では２つのルックアップテーブルの一方が記録経路と表示経路の両方に、他方が表示経路のみに存在するように接続されればよい。
【００４６】
また、ビューアシスト機能で用いられるＬＵＴは、上述のものに限らず、それぞれの動画像の視聴環境に応じたガンマ特性を有するＬＵＴを適用しても良い。
また、本実施形態では、４ｋ２ｋ動画について説明をするが、ＱＦＤＨ（Quad Full High Definition）サイズの３８４０画素×２１６０画素という画素数のデジタルシネマ場合でも同様である。
【００４７】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005914124.tif 000002
【図２】
0005914124.tif 000003
【図３】
0005914124.tif 000004
【図４】
0005914124.tif 000005
【図５】
0005914124.tif 000006
【図６】
0005914124.tif 000007
【図７】
0005914124.tif 000008